(57)【要約】【課題】動物に越えられにくい動物侵入防護柵を提供する。【解決手段】動物侵入防護柵１は、柵本体２と、回転体３とを備える。柵本体２は、略鉛直に立てられた一対の支持パイプ２Ａと、一対の支持パイプ２Ａの上部間に略水平に架設された上部フレーム２Ｄと、支持パイプ２Ａの下部間に架設された下部フレームとを有する。回転体３は、柵本体２の上方に配置されている。回転体３は回転軸３Ａを有する。回転軸３Ａは柵本体２と略平行であり、回転体３は回転軸３Ａを軸に回転可能である。回転体３は、回転軸３Ａから突出した、平板状の第１の突出部材３Ｂおよび平板状の第２の突出部材３Ｃを有する。動物侵入防護柵１は、回転体３に付与された力が所定の力未満の場合に、回転体３の第１の突出部材３Ｂおよび第２の突出部材３Ｃを水平面に対して角度αを成して傾斜した位置に配置させるバネ４を備える。【選択図】図２
2014223030.tif 000002
【特許請求の範囲】
【請求項１】
柵本体と、
該柵本体の上方に配置された、かつ、回転軸が同柵本体と略平行であり、かつ、同回転軸を軸に回転可能であり、さらに、同回転軸から突出した突出部材を有する回転体と、
該回転体に付与された力が所定の力未満の場合に、同回転体の前記突出部材を所定の位置に配置させる弾性部材とを備える
動物侵入防護柵。
【請求項２】
前記回転体は、前記回転軸を境に互いに反対方向に突出した２つの突出部材を有し、
前記弾性部材は、前記回転体に付与された力が所定の力未満の場合に、２つの前記突出部材を水平面に対して略４５°に傾斜した位置に配置させる
請求項１に記載の動物侵入防護柵。
【請求項３】
前記回転体は、前記回転軸を含む前記柵本体と同一平面を境に、一方側に突出した第１の突出部材と、同第１の突出部材が突出した側とは反対側に突出した第２の突出部材とを有する
請求項１に記載の動物侵入防護柵。
【請求項４】
前記突出部材の前記回転軸から突出する長さは、前記回転軸と前記柵本体の上端部との間の距離よりも長い
請求項１〜３のいずれか１つに記載の動物侵入防護柵。
【請求項５】
所定の電圧が印加される導電部材と、
該導電部材の周囲に配置された、かつ、所定の圧力以上の圧力が付与された場合に同導電部材と外部とが連通される、前記柵本体に取付けられたカバー部材とを備える
請求項１〜４のいずれか１つに記載の動物侵入防護柵。
【発明の詳細な説明】
【技術分野】
【０００１】
本発明は動物侵入防護柵に関する。詳しくは、例えば、山林などの未開拓地と、農地や住宅地などの開拓地との境界に設置される動物侵入防護柵に係るものである。
【背景技術】
【０００２】
柵は、所有者や用途が異なる２つの土地の境界線に設置され、安易に一方の土地から他方の土地に、人や、動物や、乗り物が侵入しないようにすることを目的とした構造物である。
【０００３】
例えば、山林近くの田畑や果樹園に、イノシシやシカなど野生動物が侵入して農作物を荒らされないようにするために、田畑や果樹園を電気柵で囲むことが行なわれている。
【０００４】
ここで電気柵は、支柱と、支柱に取付けられた碍子で支えられると共に高電圧が印加された裸電線とを備えたものである。そして、野生動物が裸電線に接触した際に電気ショックによる痛みを与えることができる。
【０００５】
例えば特許文献１には、図５に示すような電気柵が記載されている。
すなわち、特許文献１に記載された電気柵１０１は、所定の間隔で設けられた複数本の支柱１０２と、支柱１０２間に配線された上下の電線（１０３Ａ、１０３Ｂ）を備える。
【０００６】
また、電線（１０３Ａ、１０３Ｂ）には、パルス状の高電圧が、獣類に対する衝撃電圧として印加される。
また、支柱１０２からは、絶縁部材からなる張出しアーム１０７が、獣類近接ゾーン１０４側に向けて突出している。
【０００７】
また、張出しアーム１０７の先端部には、導電性材料からなる円柱状の配線基材１０８が支柱１０２と略平行となるように上下方向に設けられている。また、配線基材１０８は、上下方向の配線間隔を有して電線（１０３Ａ、１０３Ｂ）を支持する。
【０００８】
また、電線（１０３Ａ、１０３Ｂ）は、絶縁素材からなる線止具１１２を介して配線基材１０８に取付けられている。
また、線止具１１２の獣類近接ゾーン１０４側の表面には、電線（１０３Ａ、１０３Ｂ）と電気的に接続された導電性材料からなる的部１１３が形成されている。
また、的部１１３は、電線１０３Ａと電線１０３Ｂとの間に架設されており、電線（１０３Ａ、１０３Ｂ）と電気的に接続されている。
【先行技術文献】
【特許文献】
【０００９】
【特許文献１】特開２００８−７９５２１号公報
【発明の概要】
【発明が解決しようとする課題】
【００１０】
しかしながら、例えばイノシシは、鼻を電線に接触させて電気ショックを受けるかどうかを確認し、電気ショックを受けることが判ると、電線や配線基材に体当たりして電気柵を破壊し、電気柵を越えてしまう。イノシシの体は毛で覆われているため、体が電線に接触しても電気ショックを受け難いからである。
【００１１】
また、一方、電気柵ではない通常の柵では、柵の上端部に前足を掛けて、イノシシに乗り越えられてしまう。
【００１２】
本発明は、以上の点に鑑みて創案されたものであり、動物に越えられにくい動物侵入防護柵を提供することを目的とする。
【課題を解決するための手段】
【００１３】
上記の目的を達成するために、本発明の動物侵入防護柵は、柵本体と、該柵本体の上方に配置された、かつ、回転軸が同柵本体と略平行であり、かつ、同回転軸を軸に回転可能であり、さらに、同回転軸から突出した突出部材を有する回転体と、該回転体に付与された力が所定の力未満の場合に、同回転体の前記突出部材を所定の位置に配置させる弾性部材とを備える。
【００１４】
ここで、柵本体によって、一方の土地から他方の土地への動物の移動を抑制することができる。
また、回転軸から突出した突出部材を有する回転体によって、動物が手や前足を突出部材に掛けて柵本体を乗り越えようとすると、動物の体重で突出部材に負荷が加わり、回転体が動物の侵入方向と反対方向に回転し、動物の体勢を崩すことができる。
【００１５】
また、回転体に付与された力が所定の力未満の場合に、回転体の突出部材を所定の位置に配置させる弾性部材によって、動物が回転体から離れた後は、再び突出部材が所定の位置に配置されることになり、柵本体を乗り越えようとする別の動物に備えることができる。
【００１６】
なお、本発明で言う「所定の力」とは、回転体を回転させることができる程の力を意味する。
また、本発明で言う「所定の位置」とは、柵本体を乗り越えようとする動物が突出部材に手や前足を掛けることができる位置を意味する。
【００１７】
また、本発明の動物侵入防護柵において、回転体は、回転軸を境に互いに反対方向に突出した２つの突出部材を有し、弾性部材は、回転体に付与された力が所定の力未満の場合に、２つの突出部材を水平面に対して略４５°に傾斜した位置に配置させるものとすることができる。
【００１８】
この場合、動物は、突出部材を踏み台にしてジャンプしにくい。
【００１９】
また、本発明の動物侵入防護柵において、回転体は、回転軸を含む柵本体と同一平面を境に、一方側に突出した第１の突出部材と、第１の突出部材が突出した側とは反対側に突出した第２の突出部材とを有するものとすることができる。
【００２０】
この場合、動物が柵本体を一方側から越えようとする場合だけでなく、他方側から越えようとする場合にも対応することができる。
【００２１】
また、本発明の動物侵入防護柵において、突出部材の回転軸から突出する長さは、回転軸と柵本体の上端部との間の距離よりも長いものとすることができる。
【００２２】
この場合、回転体が回転したときに突出部材が柵本体に当たることができ、当たったときの音で、乗り越えようとした動物や、この動物以外の動物を驚かすことができる。
【００２３】
また、本発明の動物侵入防護柵は、所定の電圧が印加される導電部材と、導電部材の周囲に配置された、かつ、所定の圧力以上の圧力が付与された場合に導電部材と外部とが連通される、柵本体に取付けられたカバー部材とを備えるものとすることができる。
【００２４】
この場合、所定の電圧が印加される導電部材によって、導電部材に接触した動物に電気ショックを与えることができる。
また、導電部材の周囲に配置された、かつ、所定の圧力以上の圧力が付与された場合に導電部材と外部とが連通される、柵本体に取付けられたカバー部材によって、外部から所定の圧力以上の圧力を付与したものを、導電部材に接触させることができる。
【００２５】
なお、本発明で言う「所定の電圧」とは、動物に衝撃を与えることができる高い電圧を意味する。
また、本発明で言う「所定の圧力」とは、動物が物体を噛んだときに、歯が物体に与える圧力を意味する。
【発明の効果】
【００２６】
本発明に係る動物侵入防護柵は、動物に越えられにくい。
【図面の簡単な説明】
【００２７】
【図１】本発明を適用した動物侵入防護柵の一例を示す概略図である。
【図２】図１のＡ−Ａ線に沿った断面を示す概略断面図である。
【図３】本発明を適用した動物侵入防護柵の回転体が回転した状態の一例を示す概略図（ａ）および、回転体の突出部材が所定の位置に戻った状態の一例を示す概略図（ｂ）である。
【図４】本発明を適用した動物侵入防護柵の導電体にイノシシが噛みついた状態の一例を示す概略図である。
【図５】従来の電気柵を示す概略図である。
【発明を実施するための形態】
【００２８】
以下、本発明の実施の形態について図面を参照しながら説明し、本発明の理解に供する。
図１は、本発明を適用した動物侵入防護柵の一例を示す概略図である。また、図２は、図１のＡ−Ａ線に沿った断面を示す概略断面図である。
【００２９】
図１に示す本発明の動物侵入防護柵１は、柵本体２を備える。
また、図１に示すように本発明の動物侵入防護柵１は、柵本体２の下部が地中に埋められて設置されている。
なお、図１では、地中に埋められた部分の一部を示す。
【００３０】
また、柵本体２は、略鉛直に立てられた一対の支持パイプ２Ａと、一対の支持パイプ２Ａの上部間に略水平に架設された上部フレーム２Ｄと、支持パイプ２Ａの下部間に架設された下部フレーム２Ｅとを有する。
ここで、支持パイプ２Ａの内部には空間が形成されている。
【００３１】
また、柵本体２は、一対の支持パイプ２Ａ間に略水平に架設された複数の横方向鉄線２Ｂ、および、上部フレーム２Ｄと下部フレーム２Ｅの間に略鉛直に架設された複数の縦方向鉄線２Ｃを有する。
【００３２】
また、図に示すように、横方向鉄線２Ｂと縦方向鉄線２Ｃは格子状に架設されており、横方向鉄線２Ｂ同士および縦方向鉄線２Ｃ同士は一定の間隔で架設されている。
【００３３】
また、支持パイプ２Ａの下側部分が地中に埋められている。また、当然ながら、地中に埋められた支持パイプ２Ａの下側部分間に架設された横方向鉄線２Ｂと、縦方向鉄線２Ｃの下側部分も、地中に埋められている。
【００３４】
また、図２に示すように、支持パイプ２Ａの下端から一定の長さの領域と、下部フレーム２Ｅと、縦方向鉄線２Ｃの下端から一定の長さの領域が、地表から例えば約１ｍの地中において固定用コンクリート７によって固定されている。
【００３５】
このように柵本体２の下部が地中に埋められていたり、地中において固定用コンクリート７によって固定されていたりするので、動物（例えばイノシシ）が前足で掘り進めることが極めて困難となり、動物が本発明の動物侵入防護柵１を地中から掘り抜けようとする行為を抑止することができる。
【００３６】
また、本発明の動物侵入防護柵１は、回転体３を備える。
ここで、回転体３は、柵本体２の上方に配置されている。また、回転体３は回転軸３Ａを有する。
また、回転軸３Ａは柵本体２と略平行であり、回転体３は回転軸３Ａを軸に回転可能である。
また、回転体３は、回転軸３Ａから突出した、平板状の第１の突出部材３Ｂおよび平板状の第２の突出部材３Ｃを有する。
【００３７】
また、本発明の動物侵入防護柵１は、回転体３に付与された力が所定の力未満の場合に、回転体３の第１の突出部材３Ｂおよび第２の突出部材３Ｃを水平面に対して角度αを成して傾斜した位置に配置させるバネ（弾性部材の一例である。）４を備える。
ここで、角度αは略４５°である。
【００３８】
また、第１の突出部材３Ｂと第２の突出部材３Ｃは、回転軸３Ａを境に互いに反対方向に突出している。すなわち、第１の突出部材３Ｂと第２の突出部材３Ｃの間の角度は１８０°である。
【００３９】
また、バネ４の一端は横方向鉄線２Ｂに取付けられており、バネ４の他端は第２の支持部材３Ｃに取付けられている。
【００４０】
また、回転軸３Ａから突出する突出部材（第１の突出部材３Ｂおよび第２の突出部材３Ｃ）の長さＬは、柵本体２の上端部である上部フレーム２Ｄと回転軸３Ａとの間の距離Ｄより長い。
【００４１】
また、本発明の動物侵入防護柵１は、一対の支持パイプ２Ａの上端にそれぞれ設置された一対の回転体支持部５を備える。
【００４２】
また、回転体３の回転軸３Ａの両端はそれぞれ、回転体支持部５に回転可能に取付けられている。
【００４３】
また、本発明の動物侵入防護柵１は、所定の電圧が印加される導電体６を備える。
ここで、導電体６は、横方向鉄線２Ｂと略平行に配置されている。
また、導電体６は、本発明の動物侵入防護柵１の設置面から所定の距離だけ離れた位置に配置されている。
ここで「所定の距離」とは、例えばイノシシやシカなどの野生動物の鼻の位置と略同じ位置となる距離を意味する。
【００４４】
また、導電体６は、所定の電圧が印加される電線（導電部材の一例である。）６Ａを有する。
また、導電体６は、電線６Ａの周囲に配置された、かつ、所定の圧力以上の圧力が付与された場合に電線６Ａと外部とが連通されるカバー部材６Ｂを有する。
また、カバー部材６Ｂはゴム製であり、かつ、防水性を有する。
【００４５】
また、カバー部材６Ｂは、付与されていた所定の圧力以上の圧力が解除された場合に電線６Ａと外部との連通が解除されるものである。
【００４６】
また、図１に示す例では、隣接して設置された複数の本発明の動物侵入防護柵１の支持パイプ２Ａを導電体６が貫通しており、電源部（図示せず。）がまとめて導電体６に電圧を印加している。
【００４７】
電源部は、具体的には例えば、太陽光発電設備、風力発電設備、水力発電設備、地熱発電設備、蓄電池（バッテリー）、燃料電池、またはこれらを組み合わせたものである。
【００４８】
また、例えば、第１の突出部材３Ｂおよび第２の突出部材３Ｃに取付けられた太陽電池パネルで発電された電圧を、支持パイプ２Ａ内に挿通されたケーブル（図示せず。）を介して導電体６に印加することも考えられる。
【００４９】
ここで、必ずしも弾性部材は、一端が横方向鉄線に取付けられ、他端が第２の支持部材に取付けられたバネでなくてもよい。例えば、回転軸に取付けられたバネとすることもできる。
【００５０】
また、弾性部材は、回転体に付与された力が所定の力未満の場合に、必ずしも回転体の突出部材を水平面に対して略４５°に傾斜した位置に配置させなくてもよい。例えば、回転体の突出部材を略水平に配置させることもできる。
【００５１】
しかし、回転体の突出部材を水平面に対して略４５°に傾斜した位置に配置させていれば、突出部材を略水平に配置させたときよりも、動物が、突出部材を踏み台にしてジャンプしにくくなるので好ましい。
【００５２】
また、必ずしも第１の突出部材と第２の突出部材は、回転軸を境に互いに反対方向に突出していなくてもよい。
【００５３】
例えば、回転軸を含む柵本体と同一平面を境に、第１の突出部材は一方側に突出し、第２の突出部材は他方側に突出することもできる。すなわち、第１の突出部材と第２の突出部材の間の角度は１８０°より小さくすることができる。
【００５４】
また、必ずしも突出部材は２つ（第１の突出部材と第２の突出部材）でなくてもよく、例えば３つ以上もしくは１つでもよい。
【００５５】
しかし、回転軸を含む柵本体と同一平面を境に、第１の突出部材は一方側に突出し、第２の突出部材は他方側に突出していれば、動物が柵本体を一方側から越えようとする場合だけでなく、他方側から越えようとする場合にも対応することができるので好ましい。
【００５６】
また、必ずしも突出部材の回転軸から突出する長さは、柵本体の上端部と回転軸との間の距離より長くなくてもよい。
【００５７】
しかし、突出部材の回転軸から突出する長さが、回転軸と柵本体の上端部との間の距離よりも長ければ、回転体が回転したときに突出部材が柵本体に当たることができ、当たったときの音で、乗り越えようとした動物や、この動物以外の動物を驚かすことができるので好ましい。
【００５８】
また、本発明の動物侵入防護柵は、必ずしも導電部材と、カバー部材とを備えていなくてもよい。
【００５９】
しかし、本発明の動物侵入防護柵が、導電部材とカバー部材とを備えていれば、導電部材に接触した動物に電気ショックを与えることができ、また、外部から所定の圧力以上の圧力を付与したものを、導電部材に接触させることができるので好ましい。
【００６０】
また、必ずしも第１の突出部材と第２の突出部材は平板でなくてもよく、例えば柵本体と同様に横方向鉄線と縦方向鉄線が格子状に配置されたものでもよい。
【００６１】
次に、本発明の動物侵入防護柵の使用例について図面を参照しながら説明する。
図３は、本発明を適用した動物侵入防護柵の回転体が回転した状態の一例を示す概略図（ａ）および、回転体の突出部材が所定の位置に戻った状態の一例を示す概略図（ｂ）である。
また、図４は、本発明を適用した動物侵入防護柵の導電体にイノシシが噛みついた状態の一例を示す概略図である。
【００６２】
人里の畑や果樹園の農作物を食べるために人里に侵入しようとするイノシシ１１は、畑や果樹園を囲む本発明の動物侵入防護柵１に近づく。
【００６３】
そして、イノシシ１１は、本発明の動物侵入防護柵１を乗り越えようとして、回転体３の第１の突出部材３Ｂに前足を掛ける。
【００６４】
すると、イノシシ１１の体重で第１の突出部材３Ｂに負荷が加わり、回転体３がイノシシ１１の侵入方向と反対方向に回転する。すなわち、図３（ａ）において、回転体３は左回転する。
【００６５】
従って、図３（ａ）に示すように第１の突出部材３Ｂは下方に傾き、イノシシ１１は足掛け場を失うので、体勢を崩して落下する。
【００６６】
また、回転軸３Ａから突出する突出部材（第１の突出部材３Ｂおよび第２の突出部材３Ｃ）の長さＬは、柵本体２の上端部である上部フレーム２Ｄと回転軸３Ａとの間の距離Ｄより長いので、第１の突出部材３Ｂが上部フレーム２Ｄに当たって音を発する。
【００６７】
他のイノシシはこの音に驚いて逃げる。
【００６８】
一方、イノシシ１１が落下したので、回転体３に付与された力は所定の力未満すなわちゼロとなる。
【００６９】
従って、本発明の動物侵入防護柵１のバネ４は、回転体３の第１の突出部材３Ｂおよび第２の突出部材３Ｃを水平面に対して略４５°に傾斜した位置に配置させる。
すなわち、図３（ｂ）に示すように、回転体３は、イノシシ１１が回転体３の第１の突出部材３Ｂに前足を掛ける前の状態に戻る。
【００７０】
このとき、バネ４の力で回転体３が勢いよく戻って、第２の突出部材３Ｃがバネ４を介して柵本体２に衝撃を与えて音を発する。
【００７１】
他のイノシシはこの音にも驚いて逃げる。
【００７２】
また、一方、本発明の動物侵入防護柵１に近づいたイノシシ１１は、鼻の位置にある導電体６を嗅覚などで確かめるために、鼻を導電体６に接触させる。
【００７３】
ここで、導電体６のカバー部材６Ｂはゴム製であり、また、鼻を接触させた程度の圧力がカバー部材６Ｂに付与されても電線６Ａと外部とは連通されないので、この時点でイノシシ１１は電気ショックを受けない。
【００７４】
そして、イノシシ１１は、電気ショックを受けないということが判ると、カバー部材６Ｂに噛みつくなどして暴れる。
【００７５】
すると、カバー部材６Ｂは、所定の圧力すなわちイノシシ１１などの動物が噛んだときに歯が与える圧力以上の圧力が付与された場合に電線６Ａと外部とが連通されるので、イノシシ１１の歯が電線６Ａに接触して、イノシシ１１は電気ショックを受ける（図４参照。）。
【００７６】
このときイノシシ１１は、口から電気ショックを受けるので脳も電気ショックの影響を受ける。従って、イノシシ１１は強い電気ショックを受けて倒れる。
【００７７】
以上のように、本発明の動物侵入防護柵は、回転軸から突出した突出部材を有する回転体を備えるので、動物が手や前足を突出部材に掛けて柵本体を乗り越えようとすると、動物の体重で突出部材に負荷が加わり、回転体が動物の侵入方向と反対方向に回転し、動物の体勢を崩すことができる。
【００７８】
また、本発明の動物侵入防護柵は、回転体に付与された力が所定の力未満の場合に、回転体の突出部材を所定の位置に配置させる弾性部材を備えているので、動物が回転体から離れた後は、再び突出部材が所定の位置に配置されることになり、柵本体を乗り越えようとする別の動物に備えることができる。
【００７９】
従って、本発明の動物侵入防護柵は、動物に越えられにくい。
【００８０】
また、本発明の動物侵入防護柵は、導電部材の周囲に配置された、かつ、所定の圧力以上の圧力が付与された場合に導電部材と外部とが連通される、柵本体に取付けられたカバー部材を備えるので、外部から所定の圧力以上の圧力を付与したもの例えばイノシシの歯を、導電部材に接触させることができる。
【００８１】
従って、イノシシは口から電気ショックを受けるので脳も電気ショックの影響を受け、動物に強い電気ショックを与えることができる。
【００８２】
つまり、動物は、本発明の動物侵入防護柵を越えようとしてジャンプすると回転体に邪魔されて越えることができず、また、カバー部材を噛んで外して本発明の動物侵入防護柵を越えようとすれば電気ショックを受けて越えることができない。
【００８３】
また、導電部材の周囲に配置されたカバー部材によって、草や木が導電部材に直接接触しないので、本発明の動物侵入防護柵の周囲に草や木が生い茂っていても、電気が草や木に流れない。
【００８４】
従って、本発明の動物侵入防護柵は、草や木が生い茂った場所でも、動物に強い電気ショックを与えることができる。
【符号の説明】
【００８５】
１    動物侵入防護柵
２    柵本体
２Ａ  支持パイプ
２Ｂ  横方向鉄線
２Ｃ  縦方向鉄線
２Ｄ  上部フレーム
２Ｅ  下部フレーム
３    回転体
３Ａ  回転軸
３Ｂ  第１の突出部材
３Ｃ  第２の突出部材
４    バネ
５    回転体支持部
６    導電体
６Ａ  電線
６Ｂ  カバー部材
７    固定用コンクリート
１１    イノシシ
Ｄ    上部フレームと回転軸との間の距離
Ｌ    回転軸から突出する突出部材の長さ
【図１】
2014223030.tif 000003
【図２】
2014223030.tif 000004
【図３】
2014223030.tif 000005
【図４】
2014223030.tif 000006
【図５】
2014223030.tif 000007